(57)【特許請求の範囲】
【請求項１】
トラクタの後部に連結装置を介して農作業機の長さ方向中央部分を昇降可能に装着し、上記トラクタから農作業機の中央部分に動力を伝達すると共に、上記中央部分に対し、該中央部分から左右両側に延出している作業機部分を、それぞれ中央部分側に折り畳み可能とした農作業機であって、
上記農作業機はロータリ作業部の外周にシールドカバー、エプロン及びレベラを備え、前記中央部分のエプロン及び前記レベラと前記作業機部分のエプロン及びレベラとの間には、前記作業機部分を作業位置に回動させると前記中央部分及び前記作業部分の両エプロン同士及び両レベラ同士を連結し、前記作業機部分を折り畳み位置に回動させると前記エプロン同士及び前記レベラ同士の連結を解除する連結部材が設けられ、
前記エプロン同士を連結する連結部材は、前記中央部分の作業機部分側端部及びこの作業機部分側端部に対向する前記作業機部分の端部のいずれか一方に設けられ、前記エプロンの長さ方向外側へ附勢されて移動可能に支持されたエプロン固定ロッドと、前記中央部分の作業機部分側端部及びこの作業機部分側端部に対向する前記作業機部分の端部のいずれか他方に設けられ、前記エプロン固定ロッドを固定する固定穴とを有し、
前記レべラ同士を連結する連結部材は、前記中央部分の作業機部分側端部及びこの作業機部分側端部に対向する前記作業機部分の端部のいずれか一方に設けられた凸部と、前記中央部分の作業機部分側端部及びこの作業機部分側端部に対向する前記作業機部分の端部のいずれか他方に設けられ、前記凸部を係止する凹部とを有し、
前記作業機部分のシールドカバー部位とレベラとの間に、レベラの支持角度を調節可能にしたレベラ角度調整機構を設けたことを特徴とする折り畳み農作業機。
【請求項２】
上記レベラ角度調整機構を、長さ調節可能の連結ロッドとしたことを特徴とする請求項１記載の折り畳み農作業機。
【発明の詳細な説明】
【０００１】
【発明の属する技術分野】
本発明は、ロータリ代掻き作業機のような左右方向の長さが長い農作業機の長さ方向中央部分に対し、左右両側に延出している作業機部分を折り畳み可能とした農作業機に関する。
【０００２】
【従来の技術】
従来、トラクタの後部に連結装置を介して農作業機の長さ方向中央部分を昇降可能に装着し、上記トラクタから農作業機の中央部分に動力を伝達すると共に、上記中央部分に対し、該中央部分から左右両側に延出している作業機部分を、それぞれ中央部分側に折り畳み可能とした，ロータリ代掻き作業機のような農作業機が周知である。
【０００３】
上記ロータリ代掻き作業機には、ロータリ作業部の外周にシールドカバー、エプロン及びレベラが設けられ、中央部分の代掻き作業部に対して左右の代掻き作業部を、シールドカバー部位において回動支持部材を介して作業位置と折り畳み位置とに回動可能に支持している。また、中央部分のレベラの左右両端部と左右両側のレベラの内端部とをヒンジを介して連結し、レベラを作業位置と折り畳み位置とに回動可能にしたものがある。そして、左右の代掻き作業部を中央部分の代掻き作業部側に折り畳んだとき、中央部分のレベラと左右のレベラとはヒンジにより連結されているので、左右の代掻き作業部を折り畳んで中央部分の代掻き作業部のみで作業を行う場合に、中央部分のレベラは作動（回動）することなく固定状態になり、所望の均平作業を行うことができなかった。また、代掻き作業機を構成する部品の加工精度や組立精度により、中央部分のレベラと左右のレベラの高さが合わない場合があり、作業時に隣接するレベラ間において段差が生じやすく、また、隣接するレベラ間に作業時に連結のための凹部及び凸部を設けた場合には、凹部と凸部の嵌合が難しかった。
【０００４】
【発明が解決しようとする課題】
上記のように従来のロータリ代掻き作業機においては、狭い圃場での作業や、作業が終了してトラクタ及び作業機が圃場から出る場合等に際して、左右の代掻き作業部を中央部分の代掻き作業部側に折り畳んだときに、中央部分のレベラと左右のレベラとがヒンジにより連結されているので、中央部分のレベラは上下回動しないことになり、中央部分の代掻き作業部による作業跡が均平にならず、また、中央部分のレベラと左右のレベラの高さが合わない場合には、作業時に隣接するレベラ間において段差が生じ、さらに、隣接するレベラ間に連結のための凹部及び凸部を設けた場合には、凹部と凸部の嵌合が難しい、という問題点があった。
【０００５】
本発明は、左右の作業機部分を中央部分側に折り畳んだ状態でもエプロン及びレベラが単独で作動（回動）するようにし、狭い圃場での作業が可能となり、また、左右の作業機部分を作業状態に展開したときに隣接するレベラの高さ調節が容易に行え、さらに、左右の作業機部分を作業状態に展開したときに隣接するエプロン及びレベラを相互に連結して、中央部分の作業機部分と左右の作業機部分とを同調して作動するようにし、作業精度を向上させる折り畳み農作業機を提供することを目的とする。
【０００６】
【課題を解決するための手段】
上記の目的を達成するために本発明は、以下の構成を特徴としている。
Ａ．トラクタの後部に連結装置を介して農作業機の長さ方向中央部分を昇降可能に装着し、上記トラクタから農作業機の中央部分に動力を伝達すると共に、上記中央部分に対し、該中央部分から左右両側に延出している作業機部分を、それぞれ中央部分側に折り畳み可能とした農作業機であって、
上記農作業機はロータリ作業部の外周にシールドカバー、エプロン及びレベラを備え、前記中央部分のエプロン及び前記レベラと前記作業機部分のエプロン及びレベラとの間には、前記作業機部分を作業位置に回動させると前記中央部分及び前記作業部分の両エプロン同士及び両レベラ同士を連結し、前記作業機部分を折り畳み位置に回動させると前記エプロン同士及び前記レベラ同士の連結を解除する連結部材が設けられ、
前記エプロン同士を連結する連結部材は、前記中央部分の作業機部分側端部及びこの作業機部分側端部に対向する前記作業機部分の端部のいずれか一方に設けられ、前記エプロンの長さ方向外側へ附勢されて移動可能に支持されたエプロン固定ロッドと、前記中央部分の作業機部分側端部及びこの作業機部分側端部に対向する前記作業機部分の端部のいずれか他方に設けられ、前記エプロン固定ロッドを固定する固定穴とを有し、
前記レべラ同士を連結する連結部材は、前記中央部分の作業機部分側端部及びこの作業機部分側端部に対向する前記作業機部分の端部のいずれか一方に設けられた凸部と、前記中央部分の作業機部分側端部及びこの作業機部分側端部に対向する前記作業機部分の端部のいずれか他方に設けられ、前記凸部を係止する凹部とを有し、
前記作業機部分のシールドカバー部位とレベラとの間に、レベラの支持角度を調節可能にしたレベラ角度調整機構を設けた。
【０００７】
Ｂ．上記レベラ角度調整機構を、長さ調節可能の連結ロッドとした。
【０００８】
【作用】
上記のＡ．〜Ｂ．の構成により本発明の折り畳み農作業機は、圃場の大きさ、形状等に合わせて、中央部分と左右の作業機部分の全部で作業する形態、中央部分に対し左右の作業機部分を折り畳んで中央部分だけで作業する形態、中央部分に対し左右の作業機部分の何れかを折り畳んで中央部分と左右の作業機部分の何れかで作業する形態とを選択して作業することができる。また、左右の作業機部分を作業状態に展開したときに、レベラ角度調整機構（長さ調節可能の連結ロッド）により隣接するレベラの高さ調節が容易に行える。さらに、左右の作業機部分を作業状態に展開したときに隣接するエプロン及びレベラを、凹部と凸部及びエプロン固定装置により相互に連結して、中央部分の作業機部分と左右の作業機部分とを同調して作動するようにし、作業精度を向上させる。
【０００９】
【発明の実施の形態】
以下、本発明の実施の形態を添付の図面を参照して具体的に説明する。図１ないし図３において、符号１は左右方向の長さが長く砕土・代掻機能を持つ代掻ハローである。この代掻ハロー１の前部中央部分には、図示しないトラクタのトップリンクとロアーリンクとからなる周知の３点リンクヒッチ機構に連結される，ロアーリンク連結部２及びトップマスト３が設けられ、代掻ハロー１はトラクタの後部に昇降可能に装着される。また、トラクタのＰＴＯ軸から、ユニバーサルジョイント、伝動シャフト等を介して、代掻ハロー１の前側中央部に設けられた変速ギヤボックス４に、入力軸４ａを介して動力が伝達される。
【００１０】
代掻ハロー１は、トラクタのタイヤの間隔よりやや作業幅の広い中央部分５と左右の作業機部分６Ｌ，６Ｒとに３分割され、中央部分５の左右の端部と左右の作業機部分６Ｌ，６Ｒの内端部とを、後述するシールドカバー部位に設けられた回転軸（回転支点）７，７によりほぼ１８０°回転可能に連結し、中央部分５の背面と左右の作業機部分６Ｌ，６Ｒの背面とを重ね合わせるようにして折り畳み可能としている。従って、中央部分５は、トラクタのタイヤにより圃場に付けられた車輪跡を消去可能な幅を有していることになる。図１に示されるように、中央部分５の長さに対し左右の作業機部分６Ｌ，６Ｒの長さをほぼ２分の１としている。作業機部分６Ｌ，６Ｒは左右対称であり、ほぼ同じ構成を有している。
【００１１】
上記ギヤボックス４から左右両側に、本体フレームを兼ね、伝動シャフトを内装した伝動フレーム８，８ａを設けている。この伝動フレーム８の作業機部分６Ｌ側及び伝動フレーム８ａ，８ａの外側端に位置して、それぞれチェン伝動ケース９、１０，１０を垂設している。また、伝動フレーム８の作業機部分６Ｒ側の外側端及び作業機部分６Ｌ，６Ｒの内側端に位置して側板１１，１２，１２を垂設している。これらチェン伝動ケース９と側板１１及びチェン伝動ケース１０，１０と側板１２，１２の下端部間に砕土・代掻ロータ（ロータリ作業部）１３、１３ａを軸装している。
【００１２】
上記伝動フレーム８，８ａに内装された伝動シャフトの中央部分５と作業機部分６Ｌ，６Ｒの伝動シャフトが対向する端部に位置して、クラッチ１４が設けられている。このクラッチ１４は、図１及び図２に示すように、中央部分５に対し左右の作業機部分６Ｌ（または６Ｒ）を作業状態に展開したときは接続状態となり、図３に示すように、作業機部分６Ｌ（または６Ｒ）を回転軸７を中心に回動して中央部分５上に折り畳んだときは切断されるようになっている。砕土・代掻ロ−タ１３、１３ａの上方は、本体フレームに支持されたシールドカバー１５，１５ａにより覆われており、このシールドカバー１５，１５ａの後端部に、後端部にレベラ１７、１７ａを枢支軸１７ｂにより枢支したエプロン１６、１６ａの上端部が、枢支軸１６ｂを介して上下方向に回動自在に枢着されている。
【００１３】
シールドカバー１５部位とエプロン１６の両側端部との間には、エプロン１６の支持角度を調節するハンドル付きのエプロン角度調節装置１８が介装されている。また、シールドカバー１５部位とレベラ１７との間には、レベラ１７の支持角度を一定に保つ固定式ロッド１９が介装されている。図４ないし図６に示すように、エプロン１６の両端部と左右のエプロンの内端部には、エプロン固定ロッド２０と固定穴２０ａが対向して設けられている。エプロン固定ロッド２０はバネにより軸方向に押圧され、エプロン１６を作業状態にしたとき固定穴２０ａに嵌挿して両エプロン１６，１６ａを固定状態にし、エプロン１６を折り畳み状態にしたときは固定が解除される。
【００１４】
また、シールドカバー１５部位とレベラ１７ａとの間には、レベラ１７ａの支持角度を調節可能にしたレベラ角度調整機構としての、長さ調節ねじ２１ａにより長さが調節可能の連結ロッド２１が介装されている。また、レベラ１７，１７ａには、それぞれの相対向する端部に、レベラ１７ａを作業位置にしたときに嵌合して両レベラ１７，１７ａを固定状態にし、レベラ１７ａを折り畳み位置にしたときには嵌合が解除される凹部２３及び凸部２２を設けている。また、レベラ１７、１７ａは、通常の均平作業を行う均平位置と土壌を掻き寄せる土寄せ位置とに変位可能になっている。さらに、レベラ１７ａの外端部に、延長レベラを起倒可能に設けてもよいものである。
【００１５】
このような構成の代掻ハロー１においては、図１及び図２に示すように、中央部分５と左右の作業機部分６Ｌ，６Ｒの全部で作業する形態、図３に示すように、中央部分５に対し左右の作業機部分６Ｌ，６Ｒを折り畳んで中央部分５のみで作業する形態、中央部分５に対し右側の作業機部分６Ｒを折り畳んで中央部分５と左側の作業機部分６Ｌで作業する形態、中央部分５に対し左側の作業機部分６Ｌを折り畳んで中央部分５と右側の作業機部分６Ｒで作業する形態の４通りの作業を、圃場の大きさ、形状等に合わせて選択して実施する。代掻ハロー１がトラクタに装着されて路上を走行移動するとき、あるいは倉庫に収納するときなどには、左右の作業機部分６Ｌ，６Ｒを折り畳んだ状態にする。
【００１６】
狭い圃場において作業するときは、中央部分５に対し左右の作業機部分６Ｌ，６Ｒを折り畳んで中央部分５のみで作業したり、片方の作業機部分６Ｌあるいは６Ｒを折り畳んで中央部分５と共に作業することにより、エプロン１６と共に、レベラ１７が自在に上下回動して、良好な砕土・均平作業を行うことができる。また、作業が終了してトラクタ及び作業機１が圃場から出る際には、中央部分５によりトラクタの車輪跡が消去される。さらに、中央部分のエプロン１６及びレベラ１７と左右の作業機部分のエプロン１６ａ及びレベラ１７ａとは、エプロン固定ロッド２０と固定穴２０ａ及び凹部２３と凸部２２により固定されるので、中央部分５に対して作業機部分６Ｌ，６Ｒは連動して作業を行い、作業機全体として精度の高い砕土、代掻き、土寄せ作業を実施することができる。
【００１７】
【発明の効果】
以上説明したように本発明の折り畳み農作業機によれば、請求項１〜２の構成により以下の効果を奏することができる。
【００１８】
農作業機はロータリ作業部の外周にシールドカバー、エプロン及びレベラを備え、中央部分のエプロン及び前記レベラと前記作業機部分のエプロン及びレベラとの間には、作業機部分を作業位置に回動させると中央部分及び作業部分の両エプロン同士及び両レベラ同士を連結し、作業機部分を折り畳み位置に回動させるとエプロン同士及びレベラ同士の連結を解除する連結部材が設けられ、エプロン同士を連結する連結部材は、中央部分の作業機部分側端部及びこの作業機部分側端部に対向する作業機部分の端部のいずれか一方に設けられ、エプロンの長さ方向外側へ附勢されて移動可能に支持されたエプロン固定ロッドと、中央部分の作業機部分側端部及びこの作業機部分側端部に対向する作業機部分の端部のいずれか他方に設けられ、エプロン固定ロッドを固定する固定穴とを有し、レべラ同士を連結する連結部材は、中央部分の作業機部分側端部及びこの作業機部分側端部に対向する作業機部分の端部のいずれか一方に設けられた凸部と、中央部分の作業機部分側端部及びこの作業機部分側端部に対向する作業機部分の端部のいずれか他方に設けられ、凸部を係止する凹部とを有し、シールドカバー部位とレベラとの間に、レベラの支持角度を調節可能にしたレベラ角度調整機構を設けたので、圃場の大きさ、形状等に合わせて、中央部分と左右の作業機部分の全部で作業する形態、中央部分に対し左右の作業機部分を折り畳んで中央部分だけで作業する形態、中央部分に対し左右の作業機部分の何れかを折り畳んで中央部分と左右の作業機部分の何れかで作業する形態とを選択して作業することができる。また、左右の作業機部分を作業状態に展開したときに、レベラ角度調整機構により隣接するレベラの高さを容易に調節することができる。
【００１９】
また、レベラ角度調整機構を、長さ調節可能の連結ロッドとし、エプロン同士を連結する連結部材は、中央部分の作業機部分側端部及びこの作業機部分側端部に対向する作業機部分の端部のいずれか一方に設けられ、エプロンの長さ方向外側へ附勢されて移動可能に支持されたエプロン固定ロッドと、中央部分の作業機部分側端部及びこの作業機部分側端部に対向する作業機部分の端部のいずれか他方に設けられ、エプロン固定ロッドを固定する固定穴とを有し、レべラ同士を連結する連結部材は、中央部分の作業機部分側端部及びこの作業機部分側端部に対向する作業機部分の端部のいずれか一方に設けられた凸部と、中央部分の作業機部分側端部及びこの作業機部分側端部に対向する作業機部分の端部のいずれか他方に設けられ、凸部を係止する凹部とを有することで、左右の作業機部分を作業状態に展開したときに隣接するエプロン及びレベラを、エプロン固定ロッドと固定穴及び凹部と凸部により相互に連結して、中央部分の作業機部分と左右の作業機部分とを同調して作動するようにし、作業精度を向上させることができる。さらに、中央部分に対して作業機部分を折り畳み、折り畳んだ状態から作業状態へ展開する作業を容易に、かつスムーズに行うことができる。
【図面の簡単な説明】
【図１】  本発明による折り畳み式代掻ハロー全体の平面図である。
【図２】  同左右の作業機部分を作業する状態に展開した側面図である。
【図３】  同左右の作業機部分を折り畳んだ状態の側面図である。
【図４】  シールドカバー、エプロン及びレベラの部分平面図である。
【図５】  図４のＰ−Ｐに沿う端面図である。
【図６】  図４のＱ−Ｑに沿う端面図である。
【符号の説明】
１  代掻ハロー
２  ロアリンク連結部
３  トップマスト
４  変速ギヤボックス  ４ａ  入力軸
５  代掻ハローの中央部分
６Ｌ  左作業機部分  ６Ｒ  右作業機部分
７  回転軸（回転支点）
８，８ａ  伝動フレーム
９，１０  チェン伝動ケース
１１，１２  側板
１３，１３ａ  砕土・代掻ロ−タ（ロータリ作業部）
１４  クラッチ
１５，１５ａ  シールドカバー
１６，１６ａ  エプロン
１７，１７ａ  レベラ
１８  エプロン角度調節装置
１９  固定式ロッド
２０  エプロン固定ロッド
２１  連結ロッド  ２１ａ  長さ調節ねじ
２２  凸部
２３  凹部
【図１】
0004754732.tif 000002
【図２】
0004754732.tif 000003
【図３】
0004754732.tif 000004
【図４】
0004754732.tif 000005
【図５】
0004754732.tif 000006
【図６】
0004754732.tif 000007